(57)【要約】【課題】エア吸着搬送ベルトの高さ設定が容易であるとともに、用紙束上層部に対する空気吹き付けによる捌き効果を向上させた給紙装置の実現。【解決手段】給紙台８上に用紙束７を積載し、用紙束７の前端の一部をフック３で押さえ、用紙束７の給紙方向に対する側面から用紙束７の上部にエア吹き出し手段１で空気を吹き付けて用紙を１枚１枚に分離浮上させ、用紙束７上方の吸引チャンバ５、プーリ６、ベルト４からなるエア吸着搬送ベルト２で用紙をベルト面に吸着し給紙方向へ搬送する給紙装置のエア吸着搬送ベルト２の吸着面を前下りに傾斜させるとともに、空気の吹き付けを斜め後方へも向け、用紙束のエア吹き付け側面と反対側の側面にサイドガイド９を設ける。【選択図】図１
2009007148.tif 000002
【特許請求の範囲】
【請求項１】
給紙台上に積載される用紙束の給紙方向前方上部を上から係止するフックと、吸引チャンバーとこれを給紙方向に周回するベルトとからなり、積載用紙束の最上層１枚を吸着して一旦後退し用紙をフックから外した後給紙方向へ搬送するエア吸着搬送ベルトと、積載用紙束の給紙方向に対する側面から用紙束上部へエアを吹き込むエア吹き出し手段とを有する給紙装置において、前記エア吸着搬送ベルトの用紙吸着面が給紙方向前方下りに傾斜していることを特徴とする給紙装置。
【請求項２】
前記エア吹き出し手段が、用紙の給紙方向に対して用紙束上部側面から直交する方向および給紙方向に対して斜め後方へ向けてエアを吹き込むことを特徴とする請求項１記載の給紙装置。
【請求項３】
エア吹き出し手段の存在する側と反対側の用紙束側縁に当接し、エア吹き出し手段からの用紙間のエアの流れが当るサイドガイドを有することを特徴とする請求項１または請求項２記載の給紙装置。
【発明の詳細な説明】
【技術分野】
【０００１】
本発明は、給紙台上に積載された用紙束の最上層から１枚１枚給紙方向へ給紙して行く給紙装置の技術分野に属する。
【背景技術】
【０００２】
図３は従来の給紙装置の３面図である。
（ａ）は通常配置で上から見た場合の上面図である。
（ｂ）は（ａ）の図を下側から見た側面図である。
（ｃ）は（ａ）の図を右側から見た背面図である。
給紙台８上には用紙束７が載置されている。
【０００３】
用紙束７は給紙方向で見た右側をサイドフェンス１０で位置決めされるとともに前方はフロントフェンス１１で位置決めされており、また図示されていない駆動機構によって押さえと退避が可能なフック３によって用紙束７の前縁右端が押さえられている。
用紙束７の上面から所定間隔を置いて上面に平行にエア吸着搬送ベルト２が設けられている。
このエア吸着搬送ベルト２は図の（ｂ）に示されるように、吸引チャンバ５とプーリ６とベルト４で構成されており、吸引チャンバ５は下面に空気の吸引孔が設けられており、図示されていないモータファンによって空気を吸い込むようになっている。
【０００４】
その前後にプーリ６、６が設けられ、このプーリ６、６にベルト４が吸引チャンバ５の下面に接しながら周回するように掛け渡されている。
このベルト４は空気が吸引チャンバ５に吸い込まれるように多数の空気孔を設けるか、或いは幅の狭いベルトを間隔をあけて複数本設けられる。この場合空気はベルトとベルトの間から吸引チャンバ５へ吸い込まれる。
【０００５】
一方、図３の（ａ）および（ｃ）に示すように給紙方向で見て用紙束７の左側面上部の位置にエア吹き出し手段１が設けられている。
このエア吹き出し手段１は、積載された用紙束の最上層部の用紙が１枚１枚分離し易いように、用紙束７の側面上部に真横から空気を吹き付けているものである。
【０００６】
このような給紙装置の稼働は、次のように行われる。
エア吹き出し手段１からの空気吹き付けにより浮き上がり易くなった用紙は、吸引チャンバ５の空気の吸い込みに引かれてベルト４に吸着される。そして、先ず最初は吸着した用紙をフック３から抜き出すためにプーリ６、６は図示されていない駆動モータによって反時計方向に回転し、吸引チャンバ５に接している。ベルトは用紙を吸着したまま後方へ移動する。
【０００７】
用紙先端がフック３から外れたら、プーリ６、６を時計方向に回転して、ベルト４に吸着している用紙を給紙方向へ搬送する。そして、左側のプーリ６の位置でベルト４から離脱した用紙の先端は図示されていない給紙ローラに受け継がれて搬送されて行き、所期の給紙を達成する（例えば、特許文献１参照）。
【特許文献１】特開２００７−３１０７０号公報（段落［００４７］、図６、図８）
【発明の開示】
【発明が解決しようとする課題】
【０００８】
このように、従来の給紙装置は用紙束前端をフックに引っかけた状態で、用紙分離の空気を用紙束の真横から吹き付けているが、これにより以下のような問題がある。
その第１は、用紙束７の前端をフック３で押さえたまま真横（側面）から空気を吹き込むと浮き上った用紙の面は前下りに傾斜することになる。一方、エア吸着搬送ベルトの吸着面は空気を吹き付けていないときの用紙束の上面に平行に設けられているから、吸着面を用紙束に対して高めの位置に設定すると図４の（ａ）のように、用紙束の前方では吸着面から用紙面までの距離が大きくなり、用紙を吸引できなくなることがある。その結果、空送りが発生し易くなる。
【０００９】
逆に、吸着面を図４の（ｂ）のように低くめの位置に設定すると、用紙束の後方で、吹き付け空気の押し上げによって複数枚の用紙がエア吸着搬送ベルト２の吸着面に押し付けられ、その結果、重送が発生し易くなる。
従って、用紙束７の上面に対する吸着面１２の位置設定は非常に臨界的であり、紙質によっては適切な設定位置が見出せないことがあるという問題がある。
【００１０】
第２は、従来のように、用紙束の空気を吹き付けた側面と反対側の側面になんらのフェンスがないと、吹き付けた空気は用紙と用紙の間に一旦形成された風の通路を通り抜けて出て行ってしまうので１枚１枚にほぐす捌き効果が必ずしも充分ではないという問題がある。
【００１１】
本発明の解決課題は上記従来技術の問題点に鑑みて、エア吸着搬送ベルトの吸着面の高さ設定が容易であるとともに空気吹き付けによる捌き効果を向上させた給紙装置を実現することにある。
【課題を解決するための手段】
【００１２】
本発明は、上記の課題を解決するために以下の各手段構成を有する。
本発明の第１の構成は、給紙台上に積載される用紙束の給紙方向前方上部を上から係止するフックと、吸引チャンバーとこれを給紙方向に周回するベルトとからなり、積載用紙束の最上層１枚を吸着して一旦後退し用紙をフックから外した後給紙方向へ搬送するエア吸着搬送ベルトと、積載用紙束の給紙方向に対する側面から用紙束上部へエアを吹き込むエア吹き出し手段とを有する給紙装置において、前記エア吸着搬送ベルトの用紙吸着面が給紙方向前方下りに傾斜していることを特徴とする給紙装置である。
【００１３】
本発明の第２の構成は、前記第１の構成において、前記エア吹き出し手段が、用紙の給紙方向に対して用紙束上部側面から直交する方向および給紙方向に対して斜め後方へ向けてエアを吹き込むことを特徴とする給紙装置である。
【００１４】
本発明の第３の構成は、前記第１の構成または第２の構成において、エア吹き出し手段の存在する側と反対側の用紙束側縁に当接し、エア吹き出し手段からの用紙間のエアの流れが当るサイドガイドを有することを特徴とする給紙装置である。
【発明の効果】
【００１５】
本発明の第１の構成においては、エア吸着搬送ベルトの吸着面が前下りに傾斜しているので、前端をフックで押さえられた用紙束に側方から空気を吹き付けることにより用紙の後方が浮き上って斜めになっても吸着面と用紙面とがほぼ平行に沿うので用紙は吸着面全面に吸着されるようになり空送りが生じることは殆どなくなるという効果がある。
また、吸着面の後方と用紙束上面とは前方に較べて間隔があるから用紙が何枚も重なったまま吸着面に達することは殆どなく、従って重送の発生も殆どなくなるという効果がある。吸着面をどの程度傾斜させるかは、用紙の紙質、エア吸着搬送ベルトの吸着力、エア吹き出し手段の風量、風速等に対応して実験的に決めることになる。
【００１６】
本発明の第２の構成では、エア吹き出し手段のエア吹き出し方向を、用紙束の側面に対して直角方向だけではなく後ろ斜め方向へ向けても吹き出すようになっているので用紙間での空気の行き渡る範囲が広くなり用紙の分離が確実になるという効果がある。
【００１７】
本発明の第３の構成では、エア吹き出し手段の存在する側とは反対側の用紙束側縁に当接するサイドガイドを有しているので、エア吹き出し手段から吹き出され用紙間をくぐって来たエアはサイドガイドに当り反射拡散して再び用紙間を流れて行くのでエアの行き渡り範囲が広くなり、用紙の円滑な分離が促進されるという効果がある。
【発明を実施するための最良の形態】
【００１８】
本発明の実施に当っては、まず、エア吸着搬送ベルトの傾斜は可変の構造とし調整が可能なようにするのが最良の実施形態である。
次に、エア吹き出し手段の後ろ斜め方向への吹き出し角度は可変ガイド板等を設けることにより角度を調節できるようにしておくのが最良の実施形態である。
また、サイドガイドは、エアの反射拡散だけではなく用紙束の側面位置決めガイドの機能を持たせるとともに、用紙束の種々の幅に対応し得るよう位置調整ができるようにしておくことが最良である。
【実施例】
【００１９】
以下、本発明の給紙装置の実施例を図面を参照して説明する。
図１は、本発明給紙装置の実施例の側面図である。図３の（ｂ）と異なる点は、エア吸着搬送ベルト２が用紙束７の上面に対して傾斜していることである。傾斜させる構造はプーリ６、６の軸を保持する図示されていないフレームにアームを設け、このアームが傾き調整範囲で回動可能なように保持されている。用紙束７の向う側の側面上部にはエア吹き出し手段１が設けられており、手前側の側面にはサイドガイド９が設けられている。サイドガイド９の位置は用紙束の紙幅に応じて可変設定となっている。用紙束の紙質等に合わせてエア吸着搬送ベルト２の傾斜を設定することにより空送りや重送をなくすることができる。フック３は、用紙束の積載時や用紙変更による積み代え時等に、退避可能な構造となっている。
【００２０】
図２は、本発明の給紙装置におけるエア吹き出し手段１からの空気の吹き出し状況を示す図である。
空気の吹き出し口は、用紙束７に対して真横から吹き付けるようにするとともに斜め後方へ吹き付けられる構造となっている。これにより、用紙の紙面の広い範囲に渡って空気が行き渡り、用紙の分離が確実に行われることになる。
更に、用紙束７のエア吹き出し手段１の設けられている側面と反対側の側面にはサイドガイド９が設けられており、用紙束７の紙面間をくぐって来た空気はサイドガイド９で反射され、再び紙面間に戻って行き、このとき、反射による乱流により異なる紙面間にも入って行き、上層部の用紙の１枚１枚の分離（捌き）が一層促進される。
【００２１】
図１、図２の給紙装置では、エア吸着搬送ベルト２の吸引チャンバ５で空気を吸い込み、エア吹き出し手段１で空気を吹き出しているので、それぞれにファンを設けるのではなく両者をエアダクトで継ぎ、途中にファンを１個だけ置くことによって空気を循環させて目的を達することができる。
【図面の簡単な説明】
【００２２】
【図１】本発明給紙装置の実施例の側面図である。
【図２】本発明の給紙装置におけるエア吹き出し手段からの空気の吹き出し状況を示す図である。
【図３】従来の給紙装置の３面図である。
【図４】従来の給紙装置における空送り、重送の発生を説明する図である。
【符号の説明】
【００２３】
１  エア吹き出し手段
２  エア吸着搬送ベルト
３  フック
４  ベルト
５  吸引チャンバ
６  プーリ
７  用紙束
８  給紙台
９  サイドガイド
１０  サイドフェンス
１１  フロントフェンス
１２  吸着面
【図１】
2009007148.tif 000003
【図２】
2009007148.tif 000004
【図３】
2009007148.tif 000005
【図４】
2009007148.tif 000006